(57)【要約】      （修正有）【課題】ステンドグラスの美術工芸的な価値を損うことなく、ステンドグラスの原デザインに基づいて生産性高くこれを構成し、さらに構造的にも十分な強度を有する上、設置場所の物理的な制約にも関わらず大型のものでも制作可能としたステンドグラスを提供するものである。【解決手段】規格化されたフレーム１，３と規格化されたガラス片２を結合し、さらに上記結合されたガラス片２を複数個配列し、これを一体に結合したことを特徴とするステンドグラスとすることによる。【選択図】図６
2008265249.tif 000002
【特許請求の範囲】
【請求項１】
規格化されたフレームと規格化されたガラス片を結合し、さらに上記結合されたガラス片を複数個配列し、これを一体に結合したことを特徴とするステンドグラス
【発明の詳細な説明】
【技術分野】
【０００１】
本発明は、構造的に大型なものでも生産性が高い製造方法により構成されたステンドグラスに関するものである。
【背景技術】
【０００２】
ステンドグラスは、通常、複数個のガラス片を互いに結合材をもって相互に結合し、所望のデザインに基づき、設置場所に適合するサイズ、形状に形成される。
【０００３】
しかし、ガラス片そのものと結合材が多数集積されるが故に、重量がかさみ、ある一定サイズより大型のものとなると、構造的に十分な補強用材を必要とした。
【０００４】
また、工房で制作し、完成したステンドグラスを設置場所に搬入する際、大型のものは再び分割するなどの必要が生じ、定められた搬入口のサイズ以上のものはその取扱いが困難であった。
【特許文献１】特開平  １１−２４７３１２
【発明の開示】
【発明が解決しようとする課題】
【０００５】
本発明は、ステンドグラスの美術工芸的な価値を損うことなく、ステンドグラスの原デザインに基づいて生産性高くこれを構成し、さらに構造的にも十分な強度を有する上、設置場所の物理的な制約にも関わらず大型のものでも制作可能としたステンドグラスを提供するものである。
【課題を解決するための手段】
【０００６】
本発明は、あらかじめ規格化したサイズに形成されたガラス片を別に規格化したフレームなどにより所要の個数を所要のサイズに配列し、これを互いに結合することにより上記課題を解決しようとするものである。
【発明の効果】
【０００７】
本発明のステンドグラスは規格化されたガラス片を組み合わせて結合してなるものであるから、デザイン、サイズ、形状等極めて柔軟に構成することができる。
【０００８】
また、本発明によれば、工房等であらかじめ制作し、搬入することなく、現場において制作することも可能であり、とりわけ屋内などは搬入口のサイズに影響されないで大型のものでも完成することができる。
【０００９】
さらに、本発明によれば、制作用図面、マニュアルを作製し、これを分割することも可能で、比較的熟練を必要としない作業レベルでステンドグラスを作製することが出来るので並行作業による工期短縮、省人、省力化が出来てすこぶる生産性の高いものとなり、その結果、コストも低廉に提供しうる。
【００１０】
ステンドグラスは美術工芸品として一品毎に同じものが出来ないのが通常であるが、本発明のステンドグラスは図面、マニュアルにより反覆生産も可能であり、量販することも出来て、産業上の利用価値もすこぶる高いものである。
【発明を実施するための最良の形態】
【００１１】
ガラス片はあらかじめ定められ規格化された寸法の縦・横・厚さを有用されるものが用意される。このガラス片の個々について他のガラス片と結合するためのフレームを同様に規格化された寸法、形状に形成して所要の数量を用意する。
【００１２】
ガラス片は取扱いとデザインの自由度から寸法は小さい方が望ましく、大型ステンドグラス用には５×５ｃｍ、超大型のそれには１０×１０ｃｍの正方形で厚みはコストを考えると定尺のもので十分であり、とりたて、特別仕様とする必要はない。
【００１３】
また、ガラス片の色は原デザインを展開して、必要な着色ガラスを選定する。勿論、芸術面からの要請によりガラス片は特別仕様として、多角形、あるいは丸型のものを用いても良いが、これを結合するためにはフレームの形状が複雑となり、コストを必要とするが、公知の技術を用いて、本発明を展開することに支障はない。
【００１４】
用意されたガラス片にフレームが固着されたガラス要素（以下、エレメントという。）が複数個、結合部材によって結合されることにより、最終的なステンドグラスを構成する。以下、本発明の詳細を実施例により説明する。
【実施例１】
【００１５】
図１は、本発明のステンドグラスのエレメントの構造を示す分解斜視図であり、あらかじめ規格化された寸法、形状を有する、ここでは、ガラス片２は、１００×１００×１５ｍｍのフレーム１に嵌め込まれ、フレーム３をさらに押し込んでフレーム１に固定することによってこれらは一体化され１個のエレメントを形成する。
【００１６】
図１にいてガラス片２とフレーム１およびフレーム３が一体に形成された態様を図２の斜視図でその外観を示す。
【００１７】
ここで、図１のフレーム１は対称となる各片は互いに凹状部７をそれぞれ有し、隣接するエレメントはこのフレーム１とフレーム４の凸状部８ならびに凹状部７をスライドして接合することにより２以上のエレメントが結合される。その結合の態様を図３に示す。
【００１８】
図３は２つのエレメントを並列に結合する様子を示した斜視図であって、フレーム１の凹状部７とフレーム４の凸状部８の嵌合工程の中間段階を図示している。
【００１９】
図４はエレメントと各フレームとの位置関係を示す斜視図であり、各フレーム、各固定枠のエレメント嵌合前の位置関係を図示している。
【００２０】
図５は２個の結合済みのエレメントをさらにフレーム４によって互いに結合させる嵌合の中間工程を示した斜視図である。フレーム４をフレーム１の凹状部７を連続的にスライドさせ結合することにより複数のエレメントは一層強固に結合される。
【００２１】
エレメントは上下左右に任意に複数個結合できることは上記の説明で明らかなことであるが、ステンドグラスの完成態様において設置場所に取付けるために外枠として固定枠５、固定枠６を用いる。固定枠５、固定枠６はそれぞれフレーム４と固定枠５の凹状部１０、固定枠６の凹状部９とフレーム４の凸状部８でエレメント複合体として結合され、ステンドグラスを構成することを図６は図示している。
【００２２】
図７は４個のエレメントが結合された状態を示す斜視図であって、この図では上下左右に固定枠が結合されていない状態であり、完成時には固定枠を結合するが、さらに上下にもエレメントを増設することが可能であることを示している。同様に左右への増設も勿論可能である。また、エレメントの一部交換も容易に実施できる構造であり、従来のステンドグラスにはみられない構造的な特徴を具えていることも示している。
【００２３】
図８は２以上の複数個のガラス要素を結合する為の固定枠６の構造を示す斜視図であり、固定枠６はフレーム４の凸状部と嵌合する為の凹状部９を有する柱状材からなる。長さは並列するガラス要素の個数に応じたものであり図では２個のものを表している。
【００２４】
図９は２以上の複数個のガラス要素を結合する為の固定枠５の構造を示す斜視図であり、固定枠５はフレーム４の凸状部８と嵌合する為の凹状部１０、凹状部１１を有する柱状材からなる。長さは並列するガラス要素の個数に応じたものであり図では２個のものを表している。
【００２５】
図１０はフレーム４、固定枠５、固定枠６の嵌合状態を示す斜視図であり、固定枠５は固定枠５の凹状部１０、凹状部１１とフレーム４の凸状部８と嵌合し固定枠６は固定枠６の凹状部９でフレーム４の凸状部８で嵌合することを表している。
【実施例２】
【００２６】
ステンドグラス作製にあたっては先ずデザインから始まり、デザイン画をコンピュータ上であらかじめ定められたサイズのメッシュによって多数の部分に展開することにより規格化されたガラス片にデザインを分解する。
【００２７】
分解された複数個のガラス片はそのガラス片の面積部分を占める原デザインの色の組み合わせの中から、支配的な色を一つ選んでそのガラス片全体の色とする。これにより形状、色ともに規格化されたガラス片が用意される。
【００２８】
別に規格化されたガラス片の形状に対応する結合材を用意する。結合材は透明なアクリル樹脂を用いたフレームをガラス片の周囲に適合し、かつガラス片を複数個互いに連結しうるサイズ形状に規格化されたものであり、これを公知の方法により多数成形加工しておけばよい。
【００２９】
色ガラスでデザインを実現すべく所要の色を有する複数個のガラス片を上記フレームで互いに結合した上、その外周と必要に応じて内部にも構造的強度を保持するための構造材を具えて一体に形成することにより極めて芸術的にも高度なステンドグラスを形成することができる。
【００３０】
上記フレームは弾性を有するポリウレタン樹脂とすることにより、ステンドグラス完成後、不具合のあるガラス片の交換、デザイン上によるガラス片交換などに利便性はすこぶる高いものが得られる。
【実施例３】
【００３１】
通常、ステンドグラスは１枚のガラス片を平面的に多数展開結合することにより形成される。本発明において、規格化されたガラス片を用いることにより、多用な展開が可能となった。
【００３２】
すなわち、デザイン画をコンピュータ上で４原色に色分解し、各ガラス片において、分解された色に対応する４枚のガラス薄片を用意する。このガラス片を４層にして１個のガラス片を形成することにより、色は自由に作成することができる。従って、色彩を単純化するなどの制約は単にあらかじめ規格化された４原色のガラス薄板を準備し、組み合わせることで全く開放されるのである。
【産業上の利用可能性】
【００３３】
従来、ステンドグラスは教会等の建築物に装飾的に利用されることが多かった。しかるに本発明により極めて廉価で構造上も十分なステンドグラスが工業的に生産可能となり、寸法、形状も自由度が高いので、建築物においては壁材、外壁材としても利用でき、室内の衝立、間仕切り、あるいはタペストリの如き装飾材などにも利用でき、用途開発によりその利用可能性は多用に発展しうるものである。
【図面の簡単な説明】
【００３４】
【図１】エレメントの構造を展開して示す斜視図
【図２】エレメントを一体に形成した態様の外観を示す斜視図
【図３】２つのエレメントを並列に結合する様子を示す斜視図
【図４】エレメントと各フレームとの位置関係を示す斜視図
【図５】フレーム４の嵌合工程を説明する斜視図
【図６】４個のエレメントが結合されたステンドグラスに外枠が取付けられた態様を示す斜視図
【図７】４個のエレメントが結合された状態を示す斜視図
【図８】２以上の複数個のガラス要素を結合する為の固定枠６の構造を示す斜視図
【図９】２以上の複数個のガラス要素を結合する為の固定枠５の構造を示す斜視図
【図１０】フレーム４、固定枠５、固定枠６の嵌合状態を示す斜視図
【符号の説明】
【００３５】
１    フレーム
２    ガラス片
３    フレーム
４    フレーム
５    固定枠
６    固定枠
７    凹状部
８    凸状部
９    凹状部
１０  凹状部
１１  凹状部
【図１】
2008265249.tif 000003
【図２】
2008265249.tif 000004
【図３】
2008265249.tif 000005
【図４】
2008265249.tif 000006
【図５】
2008265249.tif 000007
【図６】
2008265249.tif 000008
【図７】
2008265249.tif 000009
【図８】
2008265249.tif 000010
【図９】
2008265249.tif 000011
【図１０】
2008265249.tif 000012